(57)【要約】【課題】抵抗体の過剰温度上昇を防止することが可能なスタータ用電磁スイッチを得る。【解決手段】この発明に係るスタータ用電磁スイッチでは、リングギヤ３５にピニオン４が歯合する前では、補助可動接点２２が第１の補助固定接点２７ａ及び第２の補助固定接点２７ｂに当接することで、電源の電圧は抵抗体３４で降圧されてモータ１に印加され、引き続き、リングギヤ３５にピニオン４が歯合後には、主可動接点１８が第１の主固定接点２６ａ及び第２の主固定接点２６ｂにも当接することで、電源からの電圧はそのままモータ１に印加されるようになっているスタータ用電磁スイッチにおいて、第１の主固定接点２６ａと第１の補助固定接点２７ａとの間に抵抗体３４が設けられ、第２の主固定接点２６ｂと第２の補助固定接点２７ｂとの間の抵抗体３４の過熱から保護する電流ヒューズ６０が設けられている。【選択図】図４
2006266101.tif 000002
【特許請求の範囲】
【請求項１】
モータにより駆動されるピニオンを介して内燃機関を始動させるスタータ用電磁スイッチであって、
ソレノイドケースと、
このソレノイドケースの片側開口部に結合されたスイッチカバーと、
前記ソレノイドケース内に固定された固定鉄心と、
前記ソレノイドケース内及び前記スイッチカバー内に軸方向に往復動可能に設けられた主ロッドと、
この主ロッドに対して摺動可能に設けられ前記固定鉄心に対して接離可能な可動鉄心と、
前記モータに電気的に接続される第１の主固定接点、及び電源に電気的に接続される第２の主固定接点と、
前記主ロッドに設けられ、前記第１の主固定接点及び前記第２の主固定接点に対して接離可能な主可動接点と、
前記主ロッドと同軸上で相対移動可能に設けられた補助ロッドと、
前記固定鉄心の径方向外側に固定され励磁されることで前記固定鉄心に接する方向に前記可動鉄心を移動させるコイルと、
前記第１の主固定接点に電気的に接続された第１の補助固定接点、及び前記第２の主固定接点に電気的に接続された第２の補助固定接点と、
前記第１の主固定接点と前記第１の補助固定接点との間、及び前記第２の主固定接点と前記第２の補助固定接点との間の一方に設けられた抵抗体と、
前記第１の主固定接点と前記第１の補助固定接点との間、及び前記第２の主固定接点と前記第２の補助固定接点との間の他方に設けられ前記抵抗体の過熱から保護する過熱保護手段と、
前記補助ロッドに設けられ、前記第１の補助固定接点及び前記第２の補助固定接点に対して接離可能な補助可動接点とを備え、
前記リングギヤに前記ピニオンが歯合する前では、前記補助可動接点が前記第１の補助固定接点及び前記第２の補助固定接点に当接することで、前記電源の電圧は前記抵抗体で降圧されて前記モータに印加され、
引き続き、前記リングギヤに前記ピニオンが歯合後には、前記主可動接点が前記第１の主固定接点及び前記第２の主固定接点にも当接することで、前記電源からの電圧はそのまま前記モータに印加されるようになっているスタータ用電磁スイッチ。
【請求項２】
前記過熱保護手段は、ヒューズである請求項１に記載のスタータ用電磁スイッチ。
【請求項３】
前記スイッチカバーには、前記第１の主固定接点、前記第２の主固定接点、前記第１の補助固定接点及び前記第２の補助固定接点が設けられているとともに、前記ヒューズが設けられている請求項２に記載のスタータ用電磁スイッチ。
【発明の詳細な説明】
【技術分野】
【０００１】
この発明は、モータにより駆動されるピニオンを介して内燃機関を始動させるスタータ用電磁スイッチに関するものである。
【背景技術】
【０００２】
従来、スタータ用電磁スイッチとして、始動時のモータの動作を２段階に分けて制御するために、主固定接点、この主固定接点に当接する主可動接点、補助固定接点、及びこの補助固定接点に当接する補助可動接点を備え、補助固定接点に補助可動接点が当接して形成される回路に抵抗体が直列に組み込まれており、この閉成回路を通じてバッテリからの電流がモータの電機子に流れ、電機子が低速で回転し、モータの軸に固定されたピニオンがリングギヤに歯合するようになっている。
その後、主固定接点に主可動接点が当接して形成される回路では、この閉成回路を通じてバッテリからの電流がモータの電機子に直接流れ、モータでは定格電圧の印加により定格回転し、内燃機関は始動される（例えば、特許文献１参照）。
【０００３】
【特許文献１】特開２００４−１９０５４４号公報
【発明の開示】
【発明が解決しようとする課題】
【０００４】
上記構成のスタータ用電磁スイッチでは、補助固定接点に補助可動接点が当接し、電機子が低速で回転し、モータの軸に固定されたピニオンがリングギヤに歯合した後、主固定接点に主可動接点が当接してバッテリからの電流がモータの電機子に直接流れるべきところ、何等かの要因で主固定接点に主可動接点が当接しない結果、抵抗体に電流が流れ続けることで、抵抗体が異常に温度上昇してしまうという問題点があった。
【０００５】
この発明は、上記のような問題点を解決することを課題とするものであって、抵抗体の異常温度上昇を防止することが可能なスタータ用電磁スイッチを得ることを目的とするものである。
【課題を解決するための手段】
【０００６】
この発明に係るスタータ用電磁スイッチでは、モータにより駆動されるピニオンを介して内燃機関を始動させるスタータ用電磁スイッチであって、ソレノイドケースと、
このソレノイドケースの片側開口部に結合されたスイッチカバーと、前記ソレノイドケース内に固定された固定鉄心と、前記ソレノイドケース内及び前記スイッチカバー内に軸方向に往復動可能に設けられた主ロッドと、この主ロッドに対して摺動可能に設けられ前記固定鉄心に対して接離可能な可動鉄心と、前記モータに電気的に接続される第１の主固定接点、及び電源に電気的に接続される第２の主固定接点と、前記主ロッドに設けられ、前記第１の主固定接点及び前記第２の主固定接点に対して接離可能な主可動接点と、前記主ロッドと同軸上で相対移動可能に設けられた補助ロッドと、前記固定鉄心の径方向外側に固定され励磁されることで前記固定鉄心に接する方向に前記可動鉄心を移動させるコイルと、前記第１の主固定接点に電気的に接続された第１の補助固定接点、及び前記第２の主固定接点に電気的に接続された第２の補助固定接点と、前記第１の主固定接点と前記第１の補助固定接点との間、及び前記第２の主固定接点と前記第２の補助固定接点との間の一方に設けられた抵抗体と、前記第１の主固定接点と前記第１の補助固定接点との間、及び前記第２の主固定接点と前記第２の補助固定接点との間の他方に設けられ前記抵抗体の過熱から保護する過熱保護手段と、前記補助ロッドに設けられ、前記第１の補助固定接点及び前記第２の補助固定接点に対して接離可能な補助可動接点とを備え、前記リングギヤに前記ピニオンが歯合する前では、前記補助可動接点が前記第１の補助固定接点及び前記第２の補助固定接点に当接することで、前記電源の電圧は前記抵抗体で降圧されて前記モータに印加され、引き続き、前記リングギヤに前記ピニオンが歯合後には、前記主可動接点が前記第１の主固定接点及び前記第２の主固定接点にも当接することで、前記電源からの電圧はそのまま前記モータに印加されるようになっている。
【発明の効果】
【０００７】
この発明に係るスタータ用電磁スイッチによれば、抵抗体の異常な温度上昇を防止することができる。
【発明を実施するための最良の形態】
【０００８】
以下、この発明の実施の形態について図に基づいて説明する。
実施の形態１．
図１はこの発明の実施の形態１によるスタータを示す断面図、図２は図１の主スイッチカバー７ａを左側から視たときの図、図３は図２の主スイッチカバー７ａの裏面図である。なお、図１のスタータ用電磁スイッチ２（以下、電磁スイッチと略称する）における断面図は、第２の主固定接点２６ｂ及び第１の補助固定接点２７ａの中心軸線に沿った断面図である。
このスタータは、モータ１と、モータ１への通電を入切する電磁スイッチ２と、モータ１のシャフトに軸線方向に移動可能なクラッチ３と、このクラッチ３に連結されクラッチ３とともに回転するピニオン４と、電磁スイッチ２とクラッチ３との間で回動自在に設けられたレバー５とを備えている。
【０００９】
電磁スイッチ２では、円筒状のソレノイドケース６の開口部にスイッチカバー７が結合されている。
ソレノイドケース６内には、両端部に鍔９ａ，９ｂを有する円筒状のボビン９が設けられている。このボビン９の外周部には、一次コイル８ａ及びこの一次コイル８ａの外側に設けられた二次コイル８ｂとから構成されたコイル８が装着されている。ボビン９の内壁面の一部及び鍔９ａの外側表面には、固定鉄心１０が接合されている。
【００１０】
ボビン９内には、図１の右側領域において往復摺動可能な可動鉄心１１が挿入されている。この円筒形状の可動鉄心１１の軸線上には、可動鉄心１１に対して軸線方向に相対移動可能な主ロッド１２が設けられている。可動鉄心１１のレバー５側の端部には、主ロッド１２に対して摺動可能なリング１５が固定されている。主ロッド１２の外周面と可動鉄心１１の内周面との間には、レバーばね１４が設けられている。図１において可動鉄心１１の右側は、ソレノイドケース６の外部に突出している。可動鉄心１１のフランジとソレノイドケース６の端面との間には、固定鉄心１０から開離する方向へ可動鉄心１１を付勢する開離ばね１６が設けられている。
【００１１】
主ロッド１２の一端部には、レバー５の一端部が回転自在に設けられている。主ロッド１２の他端部の外周面には、軸線方向に往復動可能な主保持部材１７が設けられている。この主保持部材１７には、主可動接点１８が固定されている。主保持部材１７と主ロッド１２の段部との間には、主可動接点１８を反可動鉄心１１側に付勢する主接点用接圧ばね１９が設けられている。
【００１２】
主ロッド１２の中間部の外周面には、主ロッド１２に対して軸線方向に摺動可能な円筒形状をした補助ロッド２０が設けられている。この補助ロッド２０の外周面には、軸線方向に往復動可能な補助保持部材２１が設けられている。この補助保持部材２１には、補助可動接点２２が固定されている。補助保持部材２１と補助ロッド２０の段部との間には、補助可動接点２２を反可動鉄心１１側に付勢する第１の補助接点用接圧ばね２３が設けられている。
スイッチカバー７は、主スイッチカバー７ａと補助スイッチカバー７ｂとから構成されている。主接点用接圧ばね１９の外径側であって補助スイッチカバー７ｂの内径部と補助保持部材２１との間には、補助可動接点２２を可動鉄心１１側に付勢する第２の補助接点用接圧ばね２４が設けられている。
【００１３】
主スイッチカバー７ａには、主可動接点１８と対面した、第１の主固定接点２６ａ及び第２の主固定接点２６ｂが組み付けられている。また、主スイッチカバー７ａには、補助可動接点２２と対面した、第１の補助固定接点２７ａ及び第２の補助固定接点２７ｂが組み付けられている。第１の主固定接点２６ａ、第２の主固定接点２６ｂにはそれぞれ連続して主端子２８が設けられている。また、第１の補助固定接点２７ａ、第２の補助固定接点２７ｂにはそれぞれ連続して補助端子２９が設けられている。
【００１４】
図４は図１に示した電磁スイッチの電気回路図である。
電源であるバッテリ３０は、キースイッチ３１を介して電磁スイッチ２のコイル８と電気的に接続されている。一次コイル８ａは、第１の主固定接点２６ａに接続されている。第１の主固定接点２６ａは、第１の接続部３２ａを介して抵抗体３４の一端部と接続されている。この抵抗体３４は、形状が蛇行状であり銅ニッケル合金で構成され、二次コイル８ｂの外周面に絶縁テープで貼り付けられている。なお、接着剤で接着するようにしてもよい。抵抗体３４の他端部は、第２の接続部３２ｂを介して第１の補助固定接点２７ａと接続されている。また、バッテリ３０は、第２の主固定接点２６ｂと接続されている。第２の主固定接点２６ｂは、第３の接続部３２ｃを介して第２の補助固定接点２７ｂと接続されている。
この第３の接続部３２ｃには、抵抗体３４の過熱から保護する過熱保護手段である電流ヒューズ６０が設けられている。
【００１５】
次に、上記構成のスタータの動作について説明する。
キースイッチ３１が投入されていないときは、開離ばね１６のばね力により可動鉄心１１が固定鉄心１０から開離されており、主可動接点１８は主固定接点２６ａ，２６ｂから開離されており、また補助可動接点２２も補助固定接点２７ａ，２７ｂから開離されている。このため、バッテリ３０からモータ１には電流が流れない。
【００１６】
キースイッチ３１を投入すると、一次コイル８ａ、二次コイル８ｂは通電されて励磁さ、可動鉄心１１は、固定鉄心１０側に吸引され、可動鉄心１１とともに、主ロッド１２、補助ロッド２０も開離ばね１６の弾性力に抗して図１の左方へ移動し、レバー５を介してピニオン４は押し出されて側端面がリングギヤ３５と当接する。
【００１７】
この時点で、先ず補助可動接点２２が補助固定接点２７ａ，２７ｂと当接し、これにより、バッテリ３０からの電流は、図４において矢印Ａの方向に流れ、モータ１にはバッテリ３０の定格電圧が抵抗体３４で降圧されて印加され、モータ１の電機子４０は低速で回転を開始する。電機子４０の回転は、クラッチ３を介してピニオン４に伝達される。このときには、モータ１の回転トルクもバッテリ３０の電圧が抵抗体３４により、降圧されているので、ピニオン４とリングギヤ３５とが歯合した瞬間のモータ１のトルクは小さく制限され、歯合時の衝撃力は軽減される。
【００１８】
さらに、可動鉄心１１が固定鉄心１０側に吸引されるとピニオン４はリングギヤ３５に確実に歯合するとともに、主可動接点１８の両端部は、それぞれ第１の主固定接点２６ａ、第２の主固定接点２６ｂと当接する。このとき、補助可動接点２２側の回路では抵抗体３４が介在しているので、この回路では殆ど電流が流れず、バッテリ３０からの電流は、図４において矢印Ｂの方向に流れ、バッテリ３０の定格電圧がモータ１に直接印加され、定格電圧の印加によりモータ１は定格回転し、内燃機関は始動される。
【００１９】
キースイッチ３１が開放されると、一次コイル８ａ、二次コイル８ｂの通電は断たれ、開離ばね１６のばね力により可動鉄心１１が固定鉄心１０から開離され、主可動接点１８は主固定接点２６ａ，２６ｂから開離され、また補助可動接点２２も補助固定接点２７ａ，２７ｂから開離され、モータ１への通電は断たれる。この間に主ロッド１２と連動するレバー５が回動して、ピニオン４とリングギヤ３５との歯合が解除される。
【００２０】
ところで、第１の補助固定接点２７ａ、第２の補助固定接点２７ｂのそれぞれに補助可動接点２２が当接し、電機子４０が低速で回転して、モータ１の軸に固定されたピニオン４がリングギヤ３５に歯合した後、第１の主固定接点２６ａ、第２の主固定接点２６ｂのそれぞれに主可動接点１８が当接してバッテリ３０からの電流がモータ１の電機子４０に直接流れるべきところ、何等かの要因で第１の主固定接点２６ａ、第２の主固定接点２６ｂに主可動接点１８が当接しない場合には、バッテリ３０からの電流はモータ１には流れずに、図４に矢印Ａに示すように抵抗体３４に流れ続ける。
この場合には、第３の接続部３２ｃに設けられた電流ヒューズ６０にも電流が流れ続けるので、抵抗体３４が高温になる前に電流ヒューズ６０は自己発熱により溶断し、抵抗体３４への通電は遮断されるので、抵抗体３４の過熱は防止される。
【００２１】
以上説明したように、上記構成の電磁スイッチによれば、第２の主固定接点２６ｂと第２の補助固定接点２７ｂとの間に、抵抗体３４の過熱から保護する電流ヒューズ６０が設けられているので、抵抗体３４の異常な温度上昇が防止される。
【００２２】
また、過熱保護手段として、電流ヒューズ６０が用いられており、簡単な構成、低コストで抵抗体３４の異常な温度上昇が防止される。
【００２３】
また、スイッチカバー７の主スイッチカバー７ａには、第１の主固定接点２６ａ、第２の主固定接点２６ｂ、第１の補助固定接点２７ｂ及び第２の補助固定接点２７ｂが設けられているので、それぞれの可動接点１８，２２に対する位置合わせは一度で済み、組み付け工数が低減される。
また、電流ヒューズ６０も主スイッチカバー７ａに設けられているので、スイッチカバーの外部に電流ヒューズを取り付けた場合と比較して、取り付け作業が不要になるとともに電流ヒューズ６０は外部の環境の影響を受けにくい。
【００２４】
また、抵抗体３４は、筒状のコイル８の外周面に設けられているので、抵抗体３４は例えば絶縁テープでコイル８に簡単に接着、保持される。
【００２５】
なお、上記の実施の形態では、第１の主固定接点２６ａと第１の補助固定接点２７ａとの間に抵抗体３４が接続され、第２の主固定接点２６ｂと第２の補助固定接点２７ｂとの間に電流ヒューズ６０が設けられた電磁スイッチについて説明したが、図５〜図７に示すように、第２の主固定接点２６ｂと第２の補助固定接点２７ｂとの間に抵抗体３４が接続され、第１の主固定接点２６ａと第１の補助固定接点２７ａとの間に電流ヒューズ６０を設けた電磁スイッチであってもよい。
【００２６】
実施の形態２．
図８は、コイル５０が一次コイル及び二次コイルに分離されていない電磁スイッチの場合の電気回路図である。
このものの場合には、第１の主固定接点２６ａと第１の補助固定接点２７ａとの間に抵抗体３４が接続され、第２の主固定接点２６ｂと第２の補助固定接点２７ｂとの間に電流ヒューズ６０が設けられているが、この実施の形態でも、実施の形態１と同様の作用、効果を有する。
また、勿論、図９に示すように、第２の主固定接点２６ｂと第２の補助固定接点２７ｂとの間に抵抗体３４が接続され、第１の主固定接点２６ａと第１の補助固定接点２７ａとの間に電流ヒューズ６０を設けるようにしてもよい。
【図面の簡単な説明】
【００２７】
【図１】この発明の実施の形態１によるスタータ用電磁スイッチが組み込まれたスタータを示す断面図である。
【図２】図１の主スイッチカバーを左側から視たときの図である。
【図３】図２の主スイッチカバーを示す裏面図である。
【図４】図１のスタータ用電磁スイッチの電気回路図である。
【図５】図１のスタータ用電磁スイッチと異なる例を示すスタータ用電磁スイッチの電気回路図である。
【図６】図５のスタータ用電磁スイッチの主スイッチカバーを外側から視たときの図である。
【図７】図６の主スイッチカバーを内側から視たときの図である。
【図８】この発明の実施の形態２によるスタータ用電磁スイッチの電気回路図である。
【図９】図８のスタータ用電磁スイッチと異なる例を示すスタータ用電磁スイッチの電気回路図である。
【符号の説明】
【００２８】
１  モータ、２  スタータ用電磁スイッチ、４  ピニオン、７  スイッチカバー、７ａ  主スイッチカバー、７ｂ  補助スイッチカバー、８，５０  コイル、１０  固定鉄心、１１  可動鉄心、１２  主ロッド、１６  開離ばね、１８  主可動接点、２０  補助ロッド、２２  補助可動接点、２６ａ  第１の主固定接点、２６ｂ  第２の主固定接点、２７ａ  第１の補助固定接点、２７ｂ  第２の補助固定接点、２８  主端子、２９  補助端子、３０  バッテリ（電源）、３１  キースイッチ、３２ａ  第１の接続部、３２ｂ  第２の接続部、３２ｃ  第３の接続部、３４  抵抗体、３５  リングギヤ、６０  電流ヒューズ（過熱保護手段）。
【図１】
2006266101.tif 000003
【図２】
2006266101.tif 000004
【図３】
2006266101.tif 000005
【図４】
2006266101.tif 000006
【図５】
2006266101.tif 000007
【図６】
2006266101.tif 000008
【図７】
2006266101.tif 000009
【図８】
2006266101.tif 000010
【図９】
2006266101.tif 000011
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
モータにより駆動されるピニオンを介して内燃機関を始動させるスタータ用電磁スイッチであって、
ソレノイドケースと、
このソレノイドケースの片側開口部に結合されたスイッチカバーと、
前記ソレノイドケース内に固定された固定鉄心と、
前記ソレノイドケース内及び前記スイッチカバー内に軸方向に往復動可能に設けられた主ロッドと、
この主ロッドに対して摺動可能に設けられ前記固定鉄心に対して接離可能な可動鉄心と、
前記モータに電気的に接続される第１の主固定接点、及び電源に電気的に接続される第２の主固定接点と、
前記主ロッドに設けられ、前記第１の主固定接点及び前記第２の主固定接点に対して接離可能な主可動接点と、
前記主ロッドと同軸上で相対移動可能に設けられた補助ロッドと、
前記固定鉄心の径方向外側に固定され励磁されることで前記固定鉄心に接する方向に前記可動鉄心を移動させるコイルと、
前記第１の主固定接点に電気的に接続された第１の補助固定接点、及び前記第２の主固定接点に電気的に接続された第２の補助固定接点と、
前記第１の主固定接点と前記第１の補助固定接点との間、または前記第２の主固定接点と前記第２の補助固定接点との間に設けられた抵抗体と、
前記第１の主固定接点と前記第１の補助固定接点との間、または前記第２の主固定接点と前記第２の補助固定接点との間に設けられ前記抵抗体の過熱から保護する過熱保護手段と、
前記補助ロッドに設けられ、前記第１の補助固定接点及び前記第２の補助固定接点に対して接離可能な補助可動接点とを備え、
前記リングギヤに前記ピニオンが歯合する前では、前記補助可動接点が前記第１の補助固定接点及び前記第２の補助固定接点に当接することで、前記電源の電圧は前記抵抗体で降圧されて前記モータに印加され、
引き続き、前記リングギヤに前記ピニオンが歯合後には、前記主可動接点が前記第１の主固定接点及び前記第２の主固定接点にも当接することで、前記電源からの電圧はそのまま前記モータに印加されるようになっているスタータ用電磁スイッチ。
【請求項２】
前記過熱保護手段は、ヒューズである請求項１に記載のスタータ用電磁スイッチ。
【請求項３】
前記スイッチカバーには、前記第１の主固定接点、前記第２の主固定接点、前記第１の補助固定接点及び前記第２の補助固定接点が設けられているとともに、前記ヒューズが設けられている請求項２に記載のスタータ用電磁スイッチ。
【手続補正２】
【補正対象書類名】明細書
【補正対象項目名】０００６
【補正方法】変更
【補正の内容】
【０００６】
この発明に係るスタータ用電磁スイッチでは、モータにより駆動されるピニオンを介して内燃機関を始動させるスタータ用電磁スイッチであって、ソレノイドケースと、このソレノイドケースの片側開口部に結合されたスイッチカバーと、前記ソレノイドケース内に固定された固定鉄心と、前記ソレノイドケース内及び前記スイッチカバー内に軸方向に往復動可能に設けられた主ロッドと、この主ロッドに対して摺動可能に設けられ前記固定鉄心に対して接離可能な可動鉄心と、前記モータに電気的に接続される第１の主固定接点、及び電源に電気的に接続される第２の主固定接点と、前記主ロッドに設けられ、前記第１の主固定接点及び前記第２の主固定接点に対して接離可能な主可動接点と、前記主ロッドと同軸上で相対移動可能に設けられた補助ロッドと、前記固定鉄心の径方向外側に固定され励磁されることで前記固定鉄心に接する方向に前記可動鉄心を移動させるコイルと、前記第１の主固定接点に電気的に接続された第１の補助固定接点、及び前記第２の主固定接点に電気的に接続された第２の補助固定接点と、前記第１の主固定接点と前記第１の補助固定接点との間、または前記第２の主固定接点と前記第２の補助固定接点との間に設けられた抵抗体と、前記第１の主固定接点と前記第１の補助固定接点との間、または前記第２の主固定接点と前記第２の補助固定接点との間に設けられ前記抵抗体の過熱から保護する過熱保護手段と、前記補助ロッドに設けられ、前記第１の補助固定接点及び前記第２の補助固定接点に対して接離可能な補助可動接点とを備え、前記リングギヤに前記ピニオンが歯合する前では、前記補助可動接点が前記第１の補助固定接点及び前記第２の補助固定接点に当接することで、前記電源の電圧は前記抵抗体で降圧されて前記モータに印加され、引き続き、前記リングギヤに前記ピニオンが歯合後には、前記主可動接点が前記第１の主固定接点及び前記第２の主固定接点にも当接することで、前記電源からの電圧はそのまま前記モータに印加されるようになっている。